(57)【要約】      （修正有）【課題】携帯端末からの音声の音響効果を高める携帯端末用スピーカースタンド、及び該スタンドを組み立てるためのスピーカースタンド展開紙を提供する。【解決手段】中空な三角錐形状である携帯端末用スピーカースタンドの本体は、内部空間Ｓを下側室Ｓ１と上側室Ｓ２とに区画する仕切り板５を備え、該仕切り板５は、本体の後端部付近において、下側室Ｓ１と上側室Ｓ２とを連通させる連通口５０を備える。前面板３には前面開口部３０が設けられ、第１及び第２の側面板には携帯端末保持用の切欠部４０Ａが設けられている。これにより、携帯端末から発生した音を上側室Ｓ２において集め、連通口５０を通じて下側室Ｓ１に伝播させた上で、開口部３０を通じて音を外部に拡散させることができる。【選択図】図５
0003205390.tif 000002
【実用新案登録請求の範囲】
【請求項１】
携帯端末を保持すると共に携帯端末から発せられる音声を拡散させるための携帯端末用のスピーカースタンドであって、
当該スピーカースタンドは、底板（２）と、前面板（３）と、第１及び第２の側面板（４Ａ，４Ｂ）とを有する中空な三角錐形状の本体（１）を備え、
当該スピーカースタンドは更に、その中空な内部空間（Ｓ）を下側室（Ｓ１）と上側室（Ｓ２）とに区画する仕切り板（５）を備えており、
前記前面板（３）には、前記下側室（Ｓ１）を外部に開放する前面開口部（３０）が設けられ、
前記第１及び第２の側面板（４Ａ，４Ｂ）には、前記前面板（３）寄り位置において、前記上側室（Ｓ２）につながる携帯端末保持用の切欠部（４０Ａ，４０Ｂ）が設けられ、
前記仕切り板（５）には、前記本体（１）の後端部付近において、前記下側室（Ｓ１）と上側室（Ｓ２）とを連通させる連通口（５０）が設けられている、
ことを特徴とする携帯端末用スピーカースタンド。
【請求項２】
前記仕切り板（５）は、
前記上側室が前記切欠部から前記連通口（５０）へ向かうにつれて次第に狭くなり、且つ前記下側室が前記連通口（５０）から前記前面開口部（３０）へ向かうにつれて次第に広くなるように、前記中空な内部空間（Ｓ）内において傾斜状態で設けられている、
ことを特徴とする請求項１に記載の携帯端末用スピーカースタンド。
【請求項３】
請求項１に記載の携帯端末用スピーカースタンドの組立てに用いられるスピーカースタンド展開紙であって、
前記底板（２）を構成する略三角形状の底板紙片（６２）と、
前記底板紙片（６２）の第１の辺に連結された、前記前面板（３）を構成する略三角形状の前面板紙片（６３）と、
前記前面板紙片（６３）の二つの辺にそれぞれ連結された、前記第１及び第２の側面板（４Ａ，４Ｂ）を構成する略三角形状の第１及び第２の側面板紙片（６４Ａ，６４Ｂ）と、
前記底板紙片（６２）の第２の辺に連結された付属紙片（６５）と、
を備えており、
前記前面板紙片（６３）は、前記前面開口部（３０）に対応する孔（６３ａ）を有し、
前記第１及び第２の側面板紙片（６４Ａ，６４Ｂ）はそれぞれ、前記携帯端末保持用の切欠部（４０Ａ，４０Ｂ）に対応する溝（６４ａ，６４ｂ）を有し、
前記付属紙片（６５）は、前記仕切り板（５）を構成する台形状部（６５Ｃ）と、その台形状部に隣接すると共に前記連通口（５０）に対応する凹状部（６７）とを有する、
ことを特徴とするスピーカースタンド展開紙。
【請求項４】
前記付属紙片（６５）は更に、前記台形状部（６５Ｃ）の二つの斜辺にそれぞれ連結された第１の三角形状部（６５Ａ）および第２の三角形状部（６５Ｂ）を有しており、
前記台形状部（６５Ｃ）は、第１の三角形状部（６５Ａ）を介して前記底板紙片（６２）の第２の辺に連結されており、
前記凹状部（６７）は、前記台形状部（６５Ｃ）の平行な二辺の一つ、前記第１の三角形状部（６５Ａ）の一辺の一部、及び前記第２の三角形状部（６５Ｂ）の一辺の一部によって形成されている、
ことを特徴とする請求項３に記載のスピーカースタンド展開紙。
【請求項５】
前記底板紙片（６２）、前面板紙片（６３）、第１及び第２の側面板紙片（６４Ａ，６４Ｂ）、並びに付属紙片（６５）の周囲には、スピーカースタンドの組立てには不要となる余り紙片（７０）が付加されて、全体形状が長方形状の平らな紙となっている、ことを特徴とする請求項３又は４に記載のスピーカースタンド展開紙。
【考案の詳細な説明】
【技術分野】
【０００１】
本考案は、組立式の携帯端末用スピーカースタンドと、その携帯端末用スピーカースタンドの組立てに用いられるスピーカースタンド展開紙に関するものである。
【背景技術】
【０００２】
近年、スマートフォンやタブレット端末などの携帯端末が普及しているが、こうした携帯端末は通常は板状に形成されており、携帯端末本体のみで自立する構造とはなっていない。このため使用者が卓上などで携帯端末を使って音楽やラジオを聴いたり、インターネットを閲覧したり、テレビなどを視聴したりする際には、携帯端末を手で保持するか、あるいは携帯端末を所望の角度に固定する必要がある。このため、このような携帯端末をいつでも気軽に置くことができる簡易スタンドが望まれていた。
【０００３】
こうした携帯端末を置くための簡易なスタンドが様々な形で提供されている。例えば特許文献１には、持ち運びが可能な組立て式のスマートフォンスタンドが開示されている。文献１は、前面部、後面部、底面部を備える平板を折り畳むことにより形成されるスマートフォンスタンドを提供するものであり、該前面部と該後面部との間に設けられる開口部にスマートフォンを挿入することにより、スマートフォンを固定することができる。（文献１の要約及び段落［０００７］を参照。）
【０００４】
同様に特許文献２において、容易に組立可能な携帯端末用支持具が開示されている。文献２の支持具は、基台上に載置される本体を備えるものであり、該本体が携帯端末の背面を支持する背面支持部と、該背面支持部を本体に係止するための第１係止部と、携帯端末の載置辺を支持する第２係止部とを有する、１枚の板状部材を組立てることにより形成されるものである（文献２の要約を参照。）。
【０００５】
さらに、特許文献３では、外観を重視した携帯端末スタンドについて開示されている。文献３のスタンドは、底面部と、該底面部から立ち上げられる後傾正面板であり携帯電話機の下部を挿入するための窓孔を備える該正面板と、該正面板を支持するための背板と、正面板の側面を覆う左右の側板とを有する厚紙ないしは段ボールによって折り畳み形成されるものである（文献３の要約及び段落［００１０］を参照。）。但し、これら上述のスタンド（または支持具）のいずれについても、携帯端末の音響については何ら考慮されていない。
【０００６】
携帯端末の音響を考慮したスタンドとしては、例えば特許文献４において携帯端末用スピーカースタンドを兼ねた携帯機器用拡声具が知られている。文献４の拡声具は、胴部と、底部と、該胴部及び／又は該底部に携帯機器を挿着するための挿入口とを備えるシート材について、該シート材を有底筒状に組み立て、該底部と対向する側に開口部を設けることにより形成されるものである（文献４の要約を参照。）。
【先行技術文献】
【特許文献】
【０００７】
【特許文献１】実用新案登録第３１７４４３３号
【特許文献２】実用新案登録第３１８０１４１号
【特許文献３】実用新案登録第３０９７１３１号
【特許文献４】実用新案登録第３１８７５５９号
【考案の概要】
【考案が解決しようとする課題】
【０００８】
しかしながら、特許文献４の拡声具も携帯端末の音響について十分に考慮したものとはいえない。文献４の拡声具には携帯端末から発せられる音をそのまま開口部から発するだけの構造であり、こうした音を集めて拡散させることについては何ら考慮していない。
【０００９】
本考案は、上記の従来技術に鑑みてなされたものであり、携帯端末から発せられた音を集めた上で拡散させることが可能であり、且つ簡易に組立ができ、持ち運びが可能な携帯端末用スピーカースタンドを提供することを目的とする。併せて、その携帯端末用スピーカースタンドの組立てに用いるためのスピーカースタンド展開紙を提供することを目的とする。
【課題を解決するための手段】
【００１０】
請求項１の考案は、携帯端末を保持すると共に携帯端末から発せられる音声を拡散させるための携帯端末用のスピーカースタンドであって、当該スピーカースタンドは、底板と、前面板と、第１及び第２の側面板とを有する中空な三角錐形状の本体を備え、当該スピーカースタンドは更に、その中空な内部空間を下側室と上側室とに区画する仕切り板を備えており、前記前面板には、前記下側室を外部に開放する前面開口部が設けられ、前記第１及び第２の側面板には、前記前面板寄り位置において、前記上側室につながる携帯端末保持用の切欠部が設けられ、前記仕切り板には、前記本体の後端部付近において、前記下側室と上側室とを連通させる連通口が設けられている、ことを特徴とする携帯端末用スピーカースタンドである。
【００１１】
請求項２の考案は、請求項１に記載の携帯端末用スピーカースタンドにおいて、前記仕切り板は、前記上側室が前記切欠部から前記連通口へ向かうにつれて次第に狭くなり、且つ前記下側室が前記連通口から前記前面開口部へ向かうにつれて次第に広くなるように、前記中空な内部空間内において傾斜状態で設けられている、ことを特徴とする。
【００１２】
請求項３の考案は、請求項１に記載の携帯端末用スピーカースタンドの組立てに用いられるスピーカースタンド展開紙であって、前記底板を構成する略三角形状の底板紙片（６２）と、前記底板紙片の第１の辺に連結された、前記前面板を構成する略三角形状の前面板紙片と、前記前面板紙片の二つの辺にそれぞれ連結された、前記第１及び第２の側面板を構成する略三角形状の第１及び第２の側面板紙片と、前記底板紙片の第２の辺に連結された付属紙片と、を備えており、前記前面板紙片は、前記開口部に対応する孔を有し、前記第１及び第２の側面板紙片はそれぞれ、前記携帯端末保持用の切欠部に対応する溝を有し、前記付属紙片は、前記仕切り板を構成する台形状部と、その台形状部に隣接すると共に前記連通口に対応する凹状部とを有する、ことを特徴とするスピーカースタンド展開紙である。
【００１３】
請求項４の考案は、請求項３に記載のスピーカースタンド展開紙において、前記付属紙片は更に、前記台形状部の二つの斜辺にそれぞれ連結された第１の三角形状部および第２の三角形状部を有しており、前記台形状部は、第１の三角形状部を介して前記底板紙片の第２の辺に連結されており、前記凹状部は、前記台形状部の平行な二辺の一つ、前記第１の三角形状部の一辺の一部、及び前記第２の三角形状部の一辺の一部によって形成されていることを特徴とする。
【００１４】
請求項５の考案は、請求項３又は４に記載のスピーカースタンド展開紙において、前記底板紙片、前面板紙片、第１及び第２の側面板紙片、並びに付属紙片の周囲には、スピーカースタンドの組立てには不要となる余り紙片が付加されて、全体形状が長方形状の平らな紙となっていることを特徴とする。
【考案の効果】
【００１５】
請求項１の考案によれば、第１及び第２の側面板に設けられた携帯端末保持用の切欠部に携帯端末を挿入することで、携帯端末の一部を当該スピーカースタンドの内部空間の上側室内に収容しながら、携帯端末を起立姿勢で保持することができる。携帯端末から発せられた音声は、上側室内を仕切り板に沿ってスピーカースタンド本体の後端部に向けて伝播すると共に、連通口を介して前記内部空間の下側室に進入する。そして、下側室に進入した音声は、下側室内を仕切り板に沿ってスピーカースタンド本体の後端部から前面板に向けて伝播し、前面開口部を介して外部に拡散される。本考案によれば、スピーカースタンドの本体内に上記のような音声の伝播経路を設定することで、携帯端末から発せられた音声の音響効果を高めることができる。
【００１６】
請求項２の考案によれば、上側室を切欠部から連通口へ向かうにつれて次第に狭くなるように設定することで、携帯端末から発せられた音声の集音性を良くすることができる。また、下側室を記連通口から前面開口部へ向かうにつれて次第に広くなるように設定することで、下側室にメガホン的な機能を担わせて、集めた音声の音響効果を高めることができる。
【００１７】
請求項３の考案によれば、請求項１に記載の携帯端末用スピーカースタンドを組み立てるためのスピーカースタンド展開紙が提供されるため、当該スピーカースタンド展開紙を用いて、携帯端末用スピーカースタンドを簡便且つ容易に組み立てることができる。
【００１８】
請求項４の考案によれば、台形状部によって構成される仕切り板をスピーカースタンド内に傾斜状態で配設することを可能にする付属紙片を、スピーカースタンド展開紙の一部に付与することができる。
【００１９】
請求項５の考案によれば、スピーカースタンド展開紙は全体形状が長方形状の平らな紙の形態をなしているので、例えば書籍や雑誌などの出版物の折り込み付録として使用者（消費者）に提供可能になる。そして、使用者は、長方形状の展開紙から例えばハサミやカッターナイフで組立てには不要な余り紙片を取り除くことで、組立てに必要なスピーカースタンド展開紙を容易に入手することができる。
【図面の簡単な説明】
【００２０】
【図１】本考案の一実施形態に従う携帯端末用スピーカースタンドの正面図である。
【図２】図１の携帯端末用スピーカースタンドの背面図である。
【図３】図１の携帯端末用スピーカースタンドの側面図である。
【図４】図１の携帯端末用スピーカースタンドの平面図（上面図）である。
【図５】図１のＸ−Ｘ線での携帯端末用スピーカースタンドの概略断面図である。
【図６】携帯端末を保持した使用時の状態を示す図５相当の概略断面図である。
【図７】本考案の一実施形態に従う携帯端末用スピーカースタンド組立て用のスピーカースタンド展開紙の平面図（展開図）である。
【図８】図７の展開図の一部分（付属紙片）を組み立てた途中状態を示す平面図である。
【図９】図８の状態から更に組立て作業を進めた途中状態を示す平面図である。
【図１０】組立てに不要な余り紙片を含んでなる長方形状のスピーカースタンド展開紙の概略平面図である。
【考案を実施するための形態】
【００２１】
以下、本考案の一実施形態について図面を参照しつつ説明する。なお、本考案の携帯端末用スピーカースタンドは、図７に示すような展開紙を折り畳んで組み立てることで図１〜５に示すような完成体に到るものである。
【００２２】
図１〜５に示すように、本考案のスピーカースタンドは、概ね三角錐形状（又は四面体形状）の中空な本体１を備え、当該スピーカースタンドの本体１は、底板２、前面板３、第１の側面板（右側面板）４Ａおよび第２の側面板（左側面板）４Ｂを有している。
【００２３】
図１に示すように、正面視略三角形状の前面板３には円形状の前面開口部３０が形成されており、その前面開口部３０は底板２寄りに配置されている。
【００２４】
図２〜４に示すように、第１及び第２の側面板４Ａ、４Ｂには前面板３寄りの位置において、切欠部４０Ａ、４０Ｂがそれぞれ切り欠き形成されている。これら一対の切欠部４０Ａ、４０Ｂは、二つの側面板４Ａ、４Ｂが互いに接する共通の斜辺４ｘに対して対称となるように配置されている。これらの切欠部４０Ａ、４０Ｂは協力して、携帯端末１００を受け入れて保持するための保持用凹部を構成する（図６参照）。
【００２５】
主に図５に示すように、スピーカースタンドの本体１の中空な内部空間Ｓには、当該内部空間Ｓを下側室Ｓ１と上側室Ｓ２とに区画するための仕切り板５が設けられている。この仕切り板５は、その前端部が前面板３の高さ方向中程の位置に配置される一方で、仕切り板５の後端部が底板２の後端部を指向するような傾斜した姿勢で設けられている。その結果、上側室Ｓ２は、仕切り板５、前面板３、並びに２つの側面板４Ａ及び４Ｂによって囲まれた領域に確保されると共に、前端域（即ち前面板３の内側付近）から後端域に向かうにつれて、高さ、幅、又は断面積（高さと幅の積）が次第に狭くなるような内部形状となっている。他方、下側室Ｓ１は、底板２、仕切り板５、前面板３、並びに２つの側面板４Ａ及び４Ｂによって囲まれた領域に確保されると共に、後端域から前端域（即ち前面板３の内側付近）に向かうにつれて、高さ、幅、又は断面積（高さと幅の積）が次第に広くなるような内部形状となっている。そして、上側室Ｓ２及び下側室Ｓ１のそれぞれの後端域（本体１の後端部付近）において、仕切り板５には、上側室Ｓ２と下側室Ｓ１とを連通させる連通口５０が設けられている。
【００２６】
続いて本実施形態の携帯端末用スピーカースタンドの使用方法等について説明する。
【００２７】
図４及び図６に示すように、スピーカースタンドの本体１の二つの側面板４Ａ，４Ｂに設けられた切欠部４０Ａ，４０Ｂに携帯端末１００の下端部１０１を挿入することで、携帯端末１００をやや後方に傾斜した起立姿勢で保持することができる。その際、携帯端末１００の内臓スピーカ（図示略）が設けられている携帯端末の下端部１０１が、下側室Ｓ１の前端域付近に収容される。なお、本実施形態では、切欠部４０Ａ，４０Ｂの長さ及び形状を適切に設定することで、携帯端末の下端部１０１が仕切り板５に接するのを回避している。つまり、携帯端末の下端部１０１を仕切り板５の上面から浮かせて配置することで、携帯端末１００が上側室Ｓ２の内部を前後に分断する事態を回避している。
【００２８】
図６において、スピーカースタンド本体１に支えられた携帯端末の下端部１０１から発せられた音声は、基本的に、上側室Ｓ２内を仕切り板５に沿って本体１の後端部に向けて伝播する。携帯端末の下端部１０１から前面板３に向かった音声も、前面板３によって反射されて本体１の後端部に向かう。本体１の後端部に集められた音声は、連通口５０を介して上側室Ｓ２から下側室Ｓ１に進入する。そして、下側室に進入した音声は、下側室Ｓ１内を仕切り板５に沿って本体１の後端部から前面板３に向けて伝播し、前面開口部３０を介して外部に拡散される。このように本実施形態によれば、スピーカースタンド本体１内に上述のような音声の伝播経路（Ｓ２→５０→Ｓ１→３０）が設定されていることで、携帯端末から発せられた音声の音響効果を高めることができる。
【００２９】
次に、携帯端末用スピーカースタンドの組立てに用いられるスピーカースタンド展開紙６０について、図７を参照して説明する。
【００３０】
図７のスピーカースタンド展開紙は、底板紙片６２と、前面板紙片６３と、第１〜第３の側面板紙片６４Ａ、６４Ｂ、６４Ｃと、その他の付属部分である付属紙片６５とを備えている。底板紙片６２、前面板紙片６３、第１及び第２の側面板紙片６４Ａ、６４Ｂはそれぞれ、スピーカースタンド本体１の底板２、前面板３、第１及び第２の側面板４Ａ、４Ｂを構成するための紙片である。付属紙片６５は、仕切り板５と、その仕切り板５を傾斜姿勢で支えるための板部とを構成するための紙片である。また第３の側面板紙片６４Ｃは、第１の側面板紙片６４Ａと重ね合わされて、この紙片６４Ａと共に第１の側面板４Ａを構成するための紙片である。
【００３１】
底板紙片６２は、略三角形状の紙片である（なお、図面では、三角形状が有する三つの角のうちの一つが欠けた状態で描かれているため、一見して台形状に見えるが、底板紙片６２は本質的に三角形状である）。底板紙片６２は、その第１の辺２１を介して三角形状の前面板紙片６３と連接されている。なお、前記第１の辺２１は、後ほど説明するように底板紙片６２と前面板紙片６３との間の折線２１となる。また、三角形状の前面板紙片６３は、その残る二つの辺３１，３２（これらも折線３１、３２となる）を介して、それぞれ三角形状の第１及び第２の側面板紙片６４Ａ、６４Ｂと連接されている。更に、第２の側面板紙片６４Ｂは、その一つの辺４２（これも折線４２となる）を介して略三角形状の第３の側面板紙片６４Ｃと連接されている。なお、前面板紙片６３は、前面板３の前面開口部３０に対応する孔６３ａを有している。また、第１、第２及び第３の側面板紙片（６４Ａ，６４Ｂ，６４Ｃ）はそれぞれ、携帯端末保持用の切欠部（４０Ａ，４０Ｂ）に対応する溝（６４ａ，６４ｂ，６４ｃ）を有している。
【００３２】
他方、底板紙片６２には、その第２の辺２２（これも折線２２となる）を介して付属紙片６５が連接されている。この付属紙片６５は、仕切り板５を構成するための紙片である台形状部６５Ｃを中心にして構成されており、当該台形状部６５Ｃの二つの斜辺５１，５２（これらも折線５１、５２となる）に対して第１の三角形状部６５Ａと第２の三角形状部６５Ｂがそれぞれ連接されている。そして、第１の三角形状部６５Ａは、前記第２の辺２２を介して底板紙片６２と連接され、他方、第２の三角形状部６５Ｂは、その一辺５３（これも折線５３となる）を介して補強用紙片６５Ｄに連接されている。この補強用紙片６５Ｄは、底板紙片６２と形状及び寸法ともにほぼ同じであり、組立て完了時には底板紙片６２を補強するための紙片として機能する。また、第１及び第２の三角形状部６５Ａ，６５Ｂは、互いに同寸同形状であり、組立て完了時には台形状部６５Ｃ（即ち仕切り板５）を傾斜姿勢で支持するための支持板部として機能する。
【００３３】
なお、付属紙片６５を構成する四つの紙片６５Ａ〜Ｄのうちの、前記台形状部６５Ｃの平行な二辺のうちの一つ（即ち台形の上辺）、前記第１の三角形状部６５Ａの一辺の一部、及び前記第２の三角形状部６５Ｂの一辺の一部によって囲まれる領域に凹状部６７が形成されている。この凹状部６７は、仕切り板５の下端に隣接配置された連通口５０に対応する部分である。
【００３４】
次に、図７のスピーカースタンド展開紙６０から、図１〜５に示す携帯端末用スピーカースタンドを組み立てる手順について説明する。
【００３５】
先ず、底板紙片６２の折線２２に沿って、第１の三角形状部６５Ａを底板紙片６２に対して立ち上がらせるように谷折りする。続いて、折線５１に沿って第１の三角形状部６５Ａに対して台形状部６５Ｃを谷折りし、更に折線５２に沿って台形状部６５Ｃに対して第２の三角形状部６５Ｂを谷折りし、更に折線５３に沿って第２の三角形状部６５Ｂに対して補強用紙片６５Ｄを谷折りする。その際、底板紙片６２の上に補強用紙片６５Ｄが重なるように、両紙片６２，６５Ｄを配置する。すると図８に示すように、底板紙片６２の上面において、第１の三角形状部６５Ａ、台形状部６５Ｃおよび第２の三角形状部６５Ｂが角筒状の立体構造を構築する。この角筒状の立体構造では、台形状部６５Ｃの両側に第１及び第２の三角形状部６５Ａ，６５Ｂが支持板部として配置され、これらの三角形状部６５Ａ，６５Ｂによって台形状部６５Ｃ（即ち仕切り板５）が、底板紙片６２（即ち底板２）に対して傾斜状態で支持される。また、台形状部６５Ｃ（即ち仕切り板５）の下端に隣接した凹状部６７により、連通口５０が確保される。
【００３６】
続いて、図８の状態から折線２１に沿って、前面板紙片６３及びそれに連なる三つの紙片６４Ａ〜Ｃを一体的に紙面の手前側に立ち上げるように谷折りする。そして、図９に示すように、前面板紙片６３の上面（前面板３の内面に相当）を前述の角筒状の立体構造物（６５Ａ〜Ｄ）の開口端部（即ち凹状部６７と反対側の開口端部）に接触させる。なお、図９の状態で、角筒状の立体構造物（６５Ａ〜Ｄ）の内側に下側室Ｓ１が完成する。
【００３７】
更に図９の状態から、折線３１に沿って第１の側面板紙片６４Ａを前面板紙片６３に対して谷折りし、第１の側面板紙片６４Ａの内面を第１の三角形状部６５Ａの外面に接触させる。続いて、折線３２に沿って第２の側面板紙片６４Ｂを前面板紙片６３に対して谷折りし、第２の側面板紙片６４Ｂの内面を第２の三角形状部６５Ｂの外面に接触させる。その結果、前記角筒状の立体構造物（６５Ａ〜Ｄ）の上側に上側室Ｓ２が完成する。
【００３８】
その後、折線４２に沿って第３の側面板紙片６４Ｃを第２の側面板紙片６４Ｂに対して谷折りし、第３の側面板紙片６４Ｃの内面を第１の側面板紙片６４Ａの外面に接触させることで、例えば図４に示すような完成状態に到る。こうして、図１〜５に示すような携帯端末用スピーカースタンドが完成する。
【００３９】
なお、図７に示すスピーカースタンド展開紙６０は、長方形状の厚紙（例えばＡ３サイズの厚紙）に印刷してなる印刷物として提供されてもよい。図１０は、そのような長方形状の厚紙の一例を示す。図１０に示す長方形状の平らな厚紙は、底板紙片６２、前面板紙片６３、第１〜３の側面板紙片（６４Ａ，６４Ｂ，６４Ｃ）、並びに付属紙片６５の周囲に、スピーカースタンドの組立てには不要な余り紙片７０を付加したものに相当する。このような長方形状の平らな厚紙は、本や雑誌への折り込み付録として有益であり、使用者（消費者）は、折り込み付録としての厚紙からハサミ等でスピーカースタンド展開紙６０を切り取り、自らの手でスピーカースタンドを組み立てて遊ぶことができる。
【００４０】
［変更例］
なお、上記実施形態では、底板紙片補強用の補強用紙片６５Ｄ、第３の側面板紙片６４Ｃが連接されたスタンド展開紙を使用したが、本考案のスピーカースタンド展開紙において、補強用紙片６５Ｄ及び／又は第３の側面板紙片６４Ｃを省略することも可能であり、仮に省略したとしても本考案の本質は損なわれない。
【符号の説明】
【００４１】
１  スピーカースタンド本体
２  底板
３  前面板
３０  前面開口部
４Ａ  第１の側面板
４Ｂ  第２の側面板
４０Ａ  切欠部
４０Ｂ  切欠部
５  仕切り板
５０  連通口
６２  底板紙片
６３  前面板紙片
６３ａ  （前面板紙片の）孔
６４Ａ  第１の側面板紙片
６４Ｂ  第２の側面板紙片
６４ａ，６４ｂ，６４ｃ  （側面板紙片の）溝
６５  付属紙片
６５Ａ  第１の三角形状部
６５Ｂ  第２の三角形状部
６５Ｃ  台形状部
６７  凹状部
Ｓ  内部空間
Ｓ１  下側室
Ｓ２  上側室
【図１】
0003205390.tif 000003
【図２】
0003205390.tif 000004
【図３】
0003205390.tif 000005
【図４】
0003205390.tif 000006
【図５】
0003205390.tif 000007
【図６】
0003205390.tif 000008
【図７】
0003205390.tif 000009
【図８】
0003205390.tif 000010
【図９】
0003205390.tif 000011
【図１０】
0003205390.tif 000012